(57)【要約】【課題】複数の記録または再生装置と接続したデジタルカメラの表示装置に、接続先の機器群に格納されている画像を統括的に表示し、閲覧することを可能にする。【解決手段】ＬＣＤなどの表示装置を持つデジタルカメラを、所定のケーブル又は赤外線を用いて、複数台の記録または再生装置と同時に接続する。デジタルカメラは、所定の通信プロトコルを用いて、接続している機器群から画像データを受信し、機器毎に別々の画像メモリ領域に格納する。デジタルカメラには、これらのメモリ領域から画像を読み出し、表示装置にまとめて表示する、或いは機器毎に切り替えて表示できるような機能が備わっており、これらの機能を用いることによって、機器群の画像を閲覧することが可能となる。【選択図】        図１
2004328038.tif 000002
【特許請求の範囲】
【請求項１】
撮像レンズで捕らえた光学的な画像を、撮像素子により電気信号に変換して記録媒体に記憶し、更にそれらの画像を液晶画面などの表示装置に表示することの出来るデジタルカメラであり、かつ同時に接続された複数の記録または再生装置との通信を制御し画像データを受信することが出来る通信手段と、受信した画像データを上記記録または再生装置毎にグループ化して保存しておく情報保持手段と、それらの画像データを表示装置に統括的に表示できるような画像表示手段とを備えていることを特徴とするデジタルカメラ。
【請求項２】
請求項１において、前記画像表示手段の統括的な表示とは、接続している全ての機器群について、機器と受信した画像との対応と、それら画像のイメージを、利用者が一目で認識できる形式で表示することを意味するデジタルカメラ。
【請求項３】
請求項１において、さらに、接続されている機器の中のいずれから画像データを取得し、デジタルカメラ内部に保持しておくかを選択することが出来る画像取得先管理手段を備えていることを特徴とするデジタルカメラ。
【請求項４】
請求項１において、前記通信手段はさらに、前記複数の記録または再生装置と接続するためのケーブルを有することを特徴とするデジタルカメラ。
【請求項５】
請求項１において、前記通信手段はさらに、前記複数の記録または再生装置と接続するための赤外線通信ポートを有することを特徴とするデジタルカメラ。
【請求項６】
請求項１において、前記情報保持手段はさらに、機器内部に備えられた複数のＶＲＡＭを利用し、前記グループ一つに対してＶＲＡＭ一つを割り当てたものであることを特徴とするデジタルカメラ。
【請求項７】
請求項１において、前記情報保持手段はさらに、機器内部に備えられた画像メモリを分割して利用し、分割した単位一つを、前記グループ一つに対して割り当てたものであることを特徴とするデジタルカメラ。
【請求項８】
請求項２において、前記画像表示手段はさらに、前記情報保持手段によりグループ化された画像データを、グループ毎に別々に表示することが出来るものであることを特徴とするデジタルカメラ。
【請求項９】
請求項８において、前記画像表示手段はさらに、あるグループについてのみ注目した表示形態を提供し、かつ利用者が表示するグループを選択できるものであることを特徴とするデジタルカメラ。
【請求項１０】
請求項２において、前記画像表示手段はさらに、表示の形態を複数有し、利用者が表示形態を選択できるものであることを特徴とするデジタルカメラ。
【請求項１１】
請求項２において、前記画像表示手段はさらに、利用者が全てのグループについて一目で確認できる表示形態を提供することを特徴とするデジタルカメラ。
【請求項１２】
請求項２において、前記画像表示手段はさらに、前記情報保持手段によりグループ化された画像データを、全てのグループについてまとめて表示することが出来るものであることを特徴とするデジタルカメラ。
【請求項１３】
請求項１２において、前記画像表示手段はさらに、全てのグループについてまとめて表示する際に、グループ情報を付加して表示することが出来るものであることを特徴とするデジタルカメラ。
【請求項１４】
請求項１において、前記通信手段、情報保持手段、画像表示手段は、いずれも静止画データと動画データの両方を処理することが出来ることを特徴とするデジタルカメラ。
【発明の詳細な説明】
【０００１】
【発明の属する技術分野】
本発明は、撮像した画像データを記録媒体に記録し、液晶画面などの表示装置上に表示するデジタルカメラに係り、特に複数の記録または再生装置と接続して画像データを取得し、それら複数の画像データ配給元からの画像群を、表示装置上に統括的に表示することが出来るデジタルカメラに関するものである。
【０００２】
【従来の技術】
電子撮像装置の一つとして、撮像レンズで捕らえた光学的な画像を、ＣＭＯＳセンサーやＣＣＤ  センサーなどの素子により電気信号に変換して記録媒体に記憶し、更にそれらの画像を液晶画面などの表示装置に表示するデジタルカメラが知られている。
【０００３】
このデジタルカメラは、画像データを電気的な情報として記憶したり、またその情報を表示装置に表示するといった機能を備えているため、外部の電子機器との間で画像データを送受信し、例えばデジタルカメラで撮影した画像を外部機器で再生する、外部機器から受信した画像データをデジタルカメラの表示装置で表示する、といったことが可能である。
【０００４】
上記の内、パーソナルコンピュータ等の外部電子計算機或いは外部記憶装置からの画像データを取り込んで表示するデジタルカメラについては、例えば特願平７−３１１１９１に記載されている。また一台のデジタルカメラと接続し、データを送受信することが出来るデジタルカメラ及びその通信方法については、例えば特開平９−２８４６９６に記載されている。しかしこれらは、一つの機器との接続が可能なデジタルカメラに関する技術であり、多数の機器との接続については言及されていない。また特開２０００−１３４５２７には、複数のデジタルカメラや周辺機器と接続し、操作を行うことが出来るデジタルカメラについて記載されているが、接続の際の操作や制御にのみ焦点が当てられている。以上のように、同時に複数の電子機器と接続し、それらから受信した画像データを一つの表示装置上に統括的に表示する手段を有するデジタルカメラは存在しておらず、利用者の期待に応えていないのが現状であった。
【０００５】
【発明が解決しようとする課題】
上述の問題を解決すべく、本発明では、同時に複数の電子機器と接続し、それらから受信した画像データを一つの表示装置上に統括的に表示する手段を有するデジタルカメラを提供することを目的としている。
【０００６】
【課題を解決するための手段】
以上の目的を達成するために、本願の請求項１に係る発明によれば、複数の記録または再生装置と同時に通信し画像データを受信することが出来る通信手段と、受信した画像データを上記記録または再生装置毎にグループ化して保存しておく情報保持手段と、それらの画像データを一つの表示装置に表示できるような画像表示手段とを備えていることを特徴とする。
【０００７】
また請求項２に係る発明によれば、請求項１において、前記通信手段はさらに、前記複数の記録または再生装置と接続するためのケーブルを有することを特徴とする。
【０００８】
また請求項３に係る発明によれば、請求項１において、前記通信手段はさらに、前記複数の記録または再生装置と接続するための赤外線通信ポートを有することを特徴とする。
【０００９】
また請求項４に係る発明によれば、請求項１において、前記情報保持手段はさらに、機器内部に備えられた複数のＶＲＡＭを利用し、前記グループ一つに対してＶＲＡＭ一つを割り当てたものであることを特徴とする。
【００１０】
また請求項５に係る発明によれば、請求項１において、前記情報保持手段はさらに、機器内部に備えられた画像メモリを分割して利用し、分割した単位一つを、前記グループ一つに対して割り当てたものであることを特徴とする。
【００１１】
また請求項６に係る発明によれば、請求項１において、前記画像表示手段はさらに、前記情報保持手段によりグループ化された画像データを、グループ毎に別々に表示することが出来るものであることを特徴とする。
【００１２】
また請求項７に係る発明によれば、請求項６において、前記画像表示手段はさらに、あるグループについて注目した表示形態を提供し、利用者が表示するグループを選択できるものであることを特徴とする。
【００１３】
また請求項８に係る発明によれば、請求項６において、前記画像表示手段はさらに、表示の形態を複数有し、利用者が表示形態を選択できるものであることを特徴とする。
【００１４】
また請求項９に係る発明によれば、請求項６において、前記画像表示手段はさらに、利用者が全てのグループについて一目で確認できる表示形態を提供することを特徴とする。
【００１５】
また請求項１０に係る発明によれば、請求項１において、前記画像表示手段はさらに、前記情報保持手段によりグループ化された画像データを、全てのグループについてまとめて表示することが出来るものであることを特徴とする。
【００１６】
また請求項１１に係る発明によれば、請求項１０において、前記画像表示手段はさらに、全てのグループについてまとめて表示する際に、ある規則に従って表示順を決定することを特徴とする。
【００１７】
また請求項１２に係る発明によれば、請求項１１において、前記画像表示手段はさらに、表示順を決定する規則を複数有しており、利用者が規則を選択することが出来ることを特徴とする。
【００１８】
また請求項１３に係る発明によれば、請求項１０において、前記画像表示手段はさらに、全てのグループについてまとめて表示する際に、グループ情報を付加して表示することが出来るものであることを特徴とする。
【００１９】
また請求項１４に係る発明によれば、請求項１において、前記通信手段、情報保持手段、画像表示手段は、いずれも静止画データと動画データの両方を処理することが出来ることを特徴とする。
【００２０】
【発明の実施の形態】
以下、添付の図面に沿って本発明の実施の形態を説明する。
【００２１】
（実施の形態１）
図１は、本実施の形態のデジタルカメラを示す概略構成ブロック図である。図中１０１がデジタルカメラ全体を表している。１０２は被写体像を結像するレンズ、１０３はレンズ１０２からの入射光量を調節する絞り機構、１０４はレンズ１０２から絞り機構１０３を通って入射した光信号を電気信号に変換する撮像素子、１０５は撮像素子１０４により光電変換された信号をサンプリングしてゲインコントロールするＣＤＳ，ＡＧＣ回路、１０６はＣＤＳ，ＡＧＣ回路１０５から出力されるアナログ信号をデジタル信号に変換するアナログ・デジタル変換器（以降、Ａ／Ｄ変換器と記述）、１１１はＡ／Ｄ変換器１０６よりＡ／Ｄ変換された信号に対して所定の処理を施すカメラ信号処理回路、１１３は本デジタルカメラ全体を制御するマイクロコンピュータ（以降、ＣＰＵと記述）、１１９はカメラ信号処理回路１１１から出力されたデジタル信号をＣＰＵ１１３を介して一時的に記憶する記録装置（以降、メモリと記述）、１１０はカメラ信号処理回路１１１から出力した生の画像データをＪＰＥＧなどの圧縮アルゴリズムを用いて圧縮したり、圧縮画像を伸長して表示用画像を生成する画像圧縮伸長回路、１１２はＬＣＤ液晶表示装置１０８に出力する映像信号を保持する画像表示メモリ、１０７は画像表示メモリに出力されたデジタル信号をアナログ信号に変換するデジタル・アナログ変換器（以降、Ｄ／Ａ変換器と記述）、１０８はＤ／Ａ変換器１０７から出力されるアナログ映像信号をユーザに対して表示するＬＣＤ液晶表示装置、１２０はメモリ１１９上に一時的に記憶されている画像データを画像ファイルの形で保存するメモリカードやディスクなどの２次記録装置、１１８は記録装置１２０への画像データの書き込み及び読み出しを行うためのカードインタフェース（以降、カードＩ／Ｆと記述）、１２１（１２１−１〜１２１−３）はネットワーク上の他の装置、１１７はネットワーク上の他の装置１２１と接続するための通信インタフェース（以降、通信用Ｉ／Ｆと記述）である。ここでネットワーク上の他の装置１２１は、装置内部に保持している画像データを外部機器に対して送信することが出来る装置であり、具体的にはデジタルカメラ、フラットベッドスキャナ、パーソナルコンピュータなどが考えられる。また通信Ｉ／Ｆ１１７は有線である必要はなく、無線ＬＡＮ装置などを利用したものでも良い。更にネットワーク上の他の装置１２１との間の通信プロトコルも、既存のさまざまな種類のものが考えられる。通信Ｉ／Ｆ１１７と通信プロトコルの組み合わせとしては、具体的にはＵＳＢインターフェースの場合のＰＴＰプロトコル、ＩＥＥＥ１３９４の場合のＳＢＰ２、ＢｌｕｅＴｏｏｔｈの場合のデジタルカメラプロファイルなどが考えられる。
【００２２】
１１６はネットワーク上の他の装置１２１との通信を管理する通信管理手段であり、複数の装置１２１が同時にデジタルカメラ１０１と接続するような状況では、１１６が個々の装置１２１との通信を管理する。１１５は通信管理手段１１６によって複数の装置１２１から受信された画像データを、装置１２１毎にグループ化して管理する画像管理手段、１１４は画像管理手段１１５によってグループ化して管理されている画像群を統括的に表示する画像表示手段である。
【００２３】
図２は本実施の形態において、デジタルカメラ１０１が複数の装置１２１から受信した画像データが、デジタルカメラ１０１のＬＣＤ液晶表示装置１０８上に表示されるまでの基本的な動作フローチャートである。まず２０１において、通信管理手段１１６は通信Ｉ／Ｆ１１７を通じて、いずれかの装置１２１から画像データを受信する。通信管理手段１１６は複数の装置１２１との通信を制御する機能を備えている。具体的には、通信管理手段１１６は接続先の数に応じた数だけスレッドを生成し、一つのスレッドを一つの装置との通信に割り当てる。
【００２４】
次に２０２において、画像管理手段１１５は受信データを機器内の画像メモリに格納する。この際に、いずれの装置１２１から受信したデータであるかをグループ化して管理しておく。格納先のメモリは、グループ別に別個のハードウェアである場合と、同一のハードウェアを分割してソフトウェアで管理する場合が考えられる。画像管理手段１１５は、デジタルカメラ１０１内部のメモリ資源の分量に制限があり、画像データをできるだけコンパクトに保持しておく必要がある等の理由から、受信時の形式とは異なる圧縮形式で画像フォーマットの変換を行うために、画像圧縮伸長回路１１０を利用して画像データの圧縮を行う場合がある。
【００２５】
次に２０３において、接続されている全ての機器から画像データの取得が終わったと判断できる場合には、画像表示手段１１４は画像管理手段１１５によってグループ別に管理されている画像データ格納領域から、画像データを取得し、適切な表示形式にしたがってＬＣＤ液晶表示装置１１２に表示を行う。デジタルカメラ１０１内部のメモリ資源の分量に制限がある等の理由から、画像管理手段１１５によって画像データが圧縮形式で保持されている場合、画像表示手段１１４は、画像圧縮伸長回路１１０を利用して画像データの伸長を行った後にＬＣＤ液晶表示装置１１２に表示を行う場合がある。
【００２６】
表示形式には接続先毎に分類して別々のＶｉｅｗで表示した形式と、全ての接続先にわたって同一のＶｉｅｗ上に表示した形式が考えられる。図３は前者の一例であり、表示領域３０１内のタブ形式のコンポーネント３０２、３０３、３０４に接続先毎の画像をそれぞれ表示している。ここで表示領域３０１は、図１におけるＬＣＤ液晶表示装置１０８と同一のものである。また図４は前者の一例であり、表示領域４０１内に、特定の接続先について画像を表示する表示用コンポーネント４０５を持ち、接続先毎にボタン部材４０２、４０３、４０４が備えられている。ここで表示領域４０１は、図１におけるＬＣＤ液晶表示装置１０８と同一のものである。このほか前者の例としては、図５のように、表示領域５０１の中に接続先毎に画像を表示するコンポーネント５０２、５０４、５０６を配置し、複数の接続先について同時に閲覧することが出来るようなパターンも考えられる。ここで表示領域５０１は、図１におけるＬＣＤ液晶表示装置１０８と同一のものであり、５０３、５０５、５０７はスクロールバーである。図６は後者の例を示したものである。表示領域６０１の中にコンポーネント６０２を配置し、全接続先の画像を一度に表示する。その際に画像データの取得元６０３〜６０８を画像に付随して表示し、接続先の機器と画像データの対応が、利用者に一目で判るようにするなどの工夫も考えられる。
【００２７】
上記の、接続先毎に分類して別々のＶｉｅｗで表示する形式の中で、一度に単一の接続先の画像のみ閲覧することができるもの（図３、図４のような表示形式）では、利用者は特定の操作を行うことによって、表示する接続先を切りかえることが出来る。図３の例では、現在デジタルカメラの画像がタブコンポーネント３０２上に表示されているが、利用者はタブコンポーネント３０３、３０４を選択することによって、スキャナの画像、パーソナルコンピュータの画像をそれぞれ表示することが出来る。また図４の例では、表示用コンポーネント４０５にデジタルカメラの画像が表示されているが、ボタン部材４０２の表示が強調されていることで、利用者はそのことを認識することが出来、ボタン部材４０３、４０４を選択することによって、スキャナの画像、パーソナルコンピュータの画像をそれぞれ表示することが出来る。このような利用者による操作は、各種デジタルカメラに備えられている操作ボタン等を用いて行われる。
【００２８】
以上のような利用者の表示グループ選択操作が含まれる場合の、デジタルカメラの動作フローチャートを図７に示す。図７は、７０３において、画像管理手段１１５が全ての接続先の画像データを機器内の画像メモリに格納したことを確認してから、画像表示手段１１４が表示を行うという点においては、図２と同じであるが、７０５において利用者から表示グループ変更操作があった場合に、再度画像表示手段１１４が機器内の格納先から該当するグループの画像を読み出し、表示するという点が異なる。このフローの特徴は、画像表示手段１１４が表示を行う際に、表示に必要な画像データが常に画像管理手段１１５によって機器内の画像メモリ上に管理されているので、７０５において利用者がいずれの表示グループを選択しても、即時に機器内のメモリから画像データを読み出して表示することが出来る点である。
【００２９】
（実施の形態２）
上記の実施の形態１は、画像管理手段１１５によって、デジタルカメラ１０１に接続されている全ての機器から画像データを取得した後に、画像表示手段１１４によってＬＣＤ液晶表示装置１０８に統括的に画像を表示する点が特徴であった。この形態においては、画像管理手段１１５が全ての接続先の画像データを同時に保管しておくのに充分な画像メモリを、機器内に備えていることが必要である。しかしデジタルカメラのような携帯性が重要視される機器では、機器のサイズを縮小するために、そのような大量の画像メモリを搭載することが出来ないケースも想定される。またコストを下げる、画像メモリを削減する理由の一つになり得る。ここでは、そのようなケースにおいても、同時に複数の電子機器と接続し、それらから受信した画像データを一つの表示装置上に統括的に表示することが出来るデジタルカメラの実施の形態について述べる。
【００３０】
本実施の形態のデジタルカメラを示す概略構成は、実施の形態１と同様である。このため構成に言及する際には、図１を用いて説明する。
【００３１】
図８は、本実施の形態において、デジタルカメラ１０１が複数の装置１２１から受信した画像データが、デジタルカメラ１０１のＬＣＤ液晶表示装置１０８上に表示されるまでの基本的な動作フローチャートである。まず８０１において、通信管理手段１１６は通信Ｉ／Ｆ１１７を通じて、画像を表示するグループに対応する装置１２１から、画像データを受信する。次に８０２において、画像管理手段１１５は受信データを機器内の画像メモリに格納し、管理する。更に８０３において、画像表示手段１１４は画像管理手段１１５によって管理されている画像データ格納領域から、画像データを読み出し、特定の表示形式にしたがってＬＣＤ液晶表示装置１１２に表示を行う。その後８０４において、利用者から表示グループ変更操作があった場合には８０１に戻り、通信管理手段１１６が改めて通信Ｉ／Ｆ１１７を通じて、利用者に選択されたグループに対応する装置１２１から、画像データを受信する。画像管理手段１１５は８０２において、受信データを機器内の画像メモリに格納して管理するが、前回受信した画像データは、破棄してもよい。
【００３２】
このように本実施の形態は、機器内には一度の表示に必要な画像データのみ保持しておき、利用者による表示グループ変更操作が発生する度に、通信管理手段１１６が対応する装置１２１から画像データを取得する点が特徴である。全ての接続先の画像データを同時に保管しておくのに充分な画像メモリを、機器内に備えていないデジタルカメラにおいても、この形態を採ることによって、利用者の表示グループ変更操作に対応した統括的な表示を行うことが可能である。
【００３３】
なお、本実施の形態におけるＬＣＤ液晶表示装置１０８上の表示形式は、接続先毎に画像が分類されていて、かつそれらのグループのいずれか一つのみ同時に閲覧できる表示形式に限られる。具体的には図３や図４のような表示形式である。
【００３４】
（実施の形態３）
上記の実施の形態２では、デジタルカメラ内部の画像メモリが、画像管理手段１１５が全ての接続先の画像データを同時に保管しておくのに充分ではない場合においても、同時に複数の電子機器と接続し、それらから受信した画像データを一つの表示装置上に統括的に表示することが可能である。しかし利用者による表示グループ変更操作が発生する度に、通信管理手段１１６が対応する装置１２１から画像データを取得するため、装置１２１と通信Ｉ／Ｆ１１７との間のネットワークの性能によっては、利用者による操作発生からＬＣＤ液晶表示装置１０８の表示に実際に反映されるまで時間がかかり、利用者の期待する操作性を実現できない可能性がある。ここでは、そのようなケースにおいても、同時に複数の電子機器と接続し、それらから受信した画像データを一つの表示装置上に統括的に、かつ利用者が満足する水準の操作性を保ちながら表示することが出来るデジタルカメラの実施の形態について述べる。なお本実施の形態では、デジタルカメラ９０１の内部に、少なくとも二つの接続先の画像データを格納するために十分な画像メモリが備わっていることを想定している。
【００３５】
図９は、本実施の形態のデジタルカメラを示す概略構成ブロック図である。略すべてのブロックが図１と同様のものであるが、画像取得先管理手段９２２が新たに追加されている。既に述べたように、デジタルカメラ９０１に備えられている画像メモリは、接続先されているすべての機器９２１の画像データを保管しておける程充分ではないが、少なくとも二つの接続先の画像データを同時に格納しておくことが可能である。画像取得先管理手段９２２は、接続されている機器の中のいずれから画像データを取得し、デジタルカメラ内部の画像メモリに保管しておくかを選択する。
【００３６】
図１０は、本実施の形態において、デジタルカメラ９０１が複数の装置９２１から受信した画像データが、デジタルカメラ９０１のＬＣＤ液晶表示装置９０８上に表示されるまでの基本的な動作フローチャートである。まず１００１において、画像取得先管理手段９２２は、画像メモリに画像データを保持しておく接続先を選択する。１００２において、選択された機器の中で、画像データが画像メモリ上に保持されていないものが存在する場合には、１００３、１００４において該当する接続先から画像データを取得し、画像メモリに保管して管理する。選択された機器の中で、画像データが既に画像メモリ上に保持されているものについては、その画像データをそのままデジタルカメラ９０１内に保持する。そして選択された機器すべてについて、画像データが画像メモリ上に保持された段階で、１００５において、表示するグループの画像データをメモリから読み出し、特定の表示形式に従って表示する。１００６において、利用者から表示グループ変更操作があり、１００７において、表示に必要な画像データが画像メモリ上に存在する場合には、再び表示するグループの画像データをメモリから読み出し、特定の表示形式に従って表示する。１００７において、表示に必要な画像データが画像メモリ上に存在しない場合には、再び１００１において、画像取得先管理手段９２２によって、画像データを保持しておく接続先を選択する。
【００３７】
以下に、１００１における画像取得先の選択方法について詳しく述べる。
【００３８】
画像取得先の選択は、さまざまな方法で行うことが出来るが、ここでは二つの方法を示す。その際に、図１１に示すような表示形式を、具体的な例として説明に用いる。図１１中の表示領域１１０１は、図９におけるＬＣＤ液晶表示装置９０８と同じものである。利用者が選択した接続先の画像が、表示用コンポーネント１１０８内に表示されている。またスクロールバー１１０３を持つコンポーネント１１０２内にボタン部材１１０４、１１０５、１１０６、１１０７が配置され、１１０４が強調して表示されていることによって、利用者は現在選択しているグループを認識することが出来る。スクロールバー１１０３を操作することによって、利用者は図１１では表示されていなかった接続先を、閲覧することが出来る。
【００３９】
画像取得先を選択する第一の方法は、利用者によって表示するグループの変更が行われることを考えた場合に、表示形式から推察して、選択される可能性が最も高いグループ群を、画像取得先として選択するものである。図１１の状態においては、スキャナ、ＰＣ１、ＰＣ２が、利用者によって選択される可能性が高い。この状態で画像取得先を選択する場合には、これらの接続先と、現在表示グループとして選択されているカメラ１を加えたグループ群を、先ず画像取得先の候補として選択する。次に画像メモリ内にこれらのグループ群全ての画像データを保持できる場合には全てを選択し、保持できない場合にはさらに、画像取得先を絞り込む。絞り込む際の方法については、例えば現在選択されているカメラ１に、表示上ボタン部材が近くに配置されている順（図１１ではスキャナ、ＰＣ１、ＰＣ２の順）に優先度づけを行うなど、様々な方法が考えられる。
【００４０】
画像取得先を選択する第二の方法は、それぞれの接続先の、利用者のよって表示グループとして選択された回数や履歴を入力として、何らかの計算によって接続先に優先度づけをするものである。例えば図１１において、利用者がまずＰＣ１を選択し、再びカメラ１を選択した場合を考える。利用者が選択した最新の履歴３回分を見ると、カメラ１が２回、ＰＣ１が１回である。従って最新の履歴３回分の中での選択回数が多い順に優先度付けをすると、カメラ１、ＰＣ１の順になる。
【００４１】
１００１における画像取得先の選択を、適切な方法で行うことによって、１００６において、利用者によって表示グループ変更の操作が行われた場合にも、１００７において、表示に必要な画像データが画像メモリ上に存在するケースが増え、そのようなケースでは、画像表示手段９１４によって、即時に表示を行うことが出来る。従って全体として、実施の形態２に比べて、利用者の表示グループ変更の操作に対して、平均的な応答時間を短縮することが出来る。
【００４２】
このように本実施の形態は、利用者による表示グループ変更操作が発生する度に、通信管理手段１１６が対応する装置１２１から画像データを取得せずに済むよう、画像取得先管理手段９２２が、デジタルカメラ９０１内部の画像メモリに画像をバッファリングしておく接続先を選択する点が特徴である。全ての接続先の画像データを同時に保管しておくのに充分な画像メモリを、機器内に備えていないデジタルカメラにおいても、利用者が満足する水準の操作性を保ちながら、統括的な表示を行うことが可能である。
【００４３】
【発明の効果】
以上説明したように、本発明によれば、複数の記録または再生装置と接続したデジタルカメラの表示装置に、接続先の機器群に格納されている画像を統括的に表示し、閲覧することが可能になる。
【図面の簡単な説明】
【図１】この発明の一実施形態に係るデジタルカメラの構成ブロック図である。
【図２】この発明の一実施形態における、通信管理手段、画像管理手段、画像表示手段に関するフローチャートである。
【図３】図１の形態における、画像表示手段による表示形式の一例を示したものである。
【図４】同じく、図１の形態における、画像表示手段による表示形式の一例を示したものである。
【図５】同じく、図１の形態における、画像表示手段による表示形式の一例を示したものである。
【図６】同じく、図１の形態における、画像表示手段による表示形式の一例を示したものである。
【図７】この発明の一実施形態における、通信管理手段、画像管理手段、画像表示手段に関するフローチャートである。
【図８】同じく、この発明の一実施形態における、通信管理手段、画像管理手段、画像表示手段に関するフローチャートである。
【図９】この発明の一実施形態に係るデジタルカメラの構成ブロック図である。
【図１０】この発明の一実施形態における、通信管理手段、画像管理手段、画像表示手段に関するフローチャートである。
【図１１】図９の形態における、画像表示手段による表示形式の一例を示したものである。
【符号の説明】
１０１  デジタルカメラ
１０２  レンズ
１０３  絞り
１０４  撮像素子
１０５  ＣＤＳ・ＡＧＣ回路
１０６  Ａ／Ｄ変換器
１０７  Ｄ／Ａ変換器
１０８  ＬＣＤ液晶表示装置
１１０  画像圧縮伸張回路
１１１  カメラ信号処理回路
１１２  画像表示メモリ
１１３  マイクロコンピュータ
１１４  画像表示手段
１１５  画像管理手段
１１６  通信管理手段
１１７  通信Ｉ／Ｆ
１１８  カードＩ／Ｆ
１１９  メモリ
１２０  記録装置
１２１  ネットワーク上の他の装置
１２１−１  他のデジタルカメラ
１２１−２  スキャナ
１２１−３  パーソナルコンピュータ
３０１  表示領域
３０２〜３０４  タブコンポーネント
４０１  表示領域
４０２〜４０４  ボタン部材
４０５  表示用コンポーネント
５０１  表示領域
５０２、５０４、５０６  接続先毎に画像を表示するコンポーネント
５０３、５０５、５０７  スクロールバー
６０１  表示領域
６０２  コンポーネント
６０３〜６０８  画像データの取得元
９０１  デジタルカメラ
９０２  レンズ
９０３  絞り
９０４  撮像素子
９０５  ＣＤＳ・ＡＧＣ回路
９０６  Ａ／Ｄ変換器
９０７  Ｄ／Ａ変換器
９０８  ＬＣＤ液晶表示装置
９１０  画像圧縮伸張回路
９１１  カメラ信号処理回路
９１２  画像表示メモリ
９１３  マイクロコンピュータ
９１４  画像表示手段
９１５  画像管理手段
９１６  通信管理手段
９１７  通信Ｉ／Ｆ
９１８  カードＩ／Ｆ
９１９  メモリ
９２０  記録装置
９２１  ネットワーク上の他の装置
９２１−１  他のデジタルカメラ
９２１−２  スキャナ
９２１−３  パーソナルコンピュータ
９２２  画像取得先管理手段
１１０１  表示領域
１１０２  コンポーネント
１１０３  スクロールバー
１１０４、１１０５、１１０６、１１０７  ボタン部材
１１０８  表示用コンポーネント
【図１】
2004328038.tif 000003
【図２】
2004328038.tif 000004
【図３】
2004328038.tif 000005
【図４】
2004328038.tif 000006
【図５】
2004328038.tif 000007
【図６】
2004328038.tif 000008
【図７】
2004328038.tif 000009
【図８】
2004328038.tif 000010
【図９】
2004328038.tif 000011
【図１０】
2004328038.tif 000012
【図１１】
2004328038.tif 000013